(57)【要約】【課題】スクロール操作時においても、文字列の識別が可能な表示装置を提供すること。【解決手段】複数の文字列および前記文字列のいずれかを選択していることを示すカーソルを表示する表示部１１と、表示部１１において、カーソル７の移動および複数の文字列６のスクロールを行うための操作部８と、操作部８の操作に応じて表示部１１の表示を制御する制御部９とを備え、制御部９は、カーソル７の移動速度と、複数の文字列６のスクロール速度とが異なるように表示部１１の表示を制御することにより、スクロール操作時においても文字列の識別が可能になる。【選択図】図４
2007240925.tif 000002
【特許請求の範囲】
【請求項１】
複数の文字列および前記文字列のいずれかを選択していることを示すカーソルを表示する表示部と、
前記表示部において、前記カーソルの移動および前記複数の文字列のスクロールを行うための操作部と、
前記操作部の操作に応じて前記表示部の表示を制御する制御部とを備え、
前記制御部は、前記カーソルの移動速度と、前記複数の文字列のスクロール速度とが異なるように前記表示部の表示を制御する表示装置。
【請求項２】
前記制御部は、前記複数の文字列のスクロール速度が、前記カーソルの移動速度より遅くなるように前記表示部の表示を制御する請求項１記載の表示装置。
【請求項３】
前記操作部は、前記カーソルの移動および前記複数の文字列のスクロールを行うためのタッチパッドを有し、
前記制御部は、前記タッチパッドを指でなぞる速度に同期した速度でカーソル移動するように前記表示部の表示を制御する請求項１または２記載の表示装置。
【請求項４】
前記制御部は、前記スクロール速度が、段階的に速くなるように前記表示部の表示を制御する請求項１から３のいずれかに記載の表示装置。
【発明の詳細な説明】
【技術分野】
【０００１】
本発明は、着目する文字列が識別できるカーソルの移動速度および文字列のスクロール速度で表示する表示装置に関するものである。
【背景技術】
【０００２】
一般に限られた面積を有する表示装置に多くの文字を表示させる方法として、文字列を
横方向あるいは縦方向にスクロールして表示する方法が知られている。横方向に文字列をスクロールするのは、横に並んだ表示しきれない文字をすべて表示するためで、一文字一文字を移動して表示する方法を用いる。
【０００３】
また、縦方向に文字列をスクロールするのは、縦方向に複数の文字列がある場合に、表示しきれない文字列を表示するためで、一行一行の文字列を縦方向に移動して表示する方法を用いる。
【０００４】
その際、通常縦方向のスクロールでは、文字列のスクロール速度（文字列が縦方向に移動する速さ）調節は、表示装置を有する機器のボタン操作などで自動的に行われる。
【０００５】
例えば、特許文献１には文字のパラメータ情報に基づいて、スクロール速度を自動的に調節するスクロール表示装置およびスクロール表示方法が開示されている。
【０００６】
図６は、特許文献１に開示されているスクロール表示方法について説明するための表示画面である。図６において、表示画面に文字表示領域１２と、この文字表示領域１２の右側に設けられた表示画面「閉」ボタン１３と、スクロール操作バー１４とを有している。
【０００７】
この文字表示領域１２内に表示された文字“○”は、ユーザによってスクロール操作バー１４が操作されたときに、自動的にスクロール表示されるようになっている。
【０００８】
図６（ａ）に示すように、文字サイズの小さい文字が幅の狭い表示画面に表示されている場合に、スクロール速度が普通の速さであるものとする。これに対して、図６（ｂ）に示すように、文字サイズの大きい文字が幅の広い表示画面に表示されている場合には、スクロール速度が比較的速く設定される。これによって、表示される文字サイズに適したスクロール速度で読み取り易い文字表示を行うことができる。
【特許文献１】特開２００５−１７６５１号公報
【発明の開示】
【発明が解決しようとする課題】
【０００９】
しかしながら、文字サイズが固定されていて、かつ縦方向の文字表示領域が狭い狭領域の表示装置の場合には、スクロール操作を行うと表示される文字列の識別が困難になるという課題がある。
【課題を解決するための手段】
【００１０】
本発明の表示装置は、複数の文字列および前記文字列のいずれかを選択していることを示すカーソルを表示する表示部と、前記表示部において、前記カーソルの移動および前記複数の文字列のスクロールを行うための操作部と、前記操作部の操作に応じて前記表示部の表示を制御する制御部とを備え、前記制御部は、前記カーソルの移動速度と、前記複数の文字列のスクロール速度とが異なるように前記表示部の表示を制御する。
【００１１】
本構成により、カーソルの移動速度と文字列のスクロール速度を制御できる。
【発明の効果】
【００１２】
本発明によれば、カーソルの移動か文字列のスクロールかに応じて、カーソルの移動およびスクロールの速度を制御できるため、スクロール時においても目的とする文字列を読み取り易く、ユーザが所望する文字列の検索を行う上で操作性の向上が図れる。
【発明を実施するための最良の形態】
【００１３】
（実施の形態１）
図１は、本発明の実施の形態１の表示装置を有する機器の外観概要を示す図である。１は機器本体、２は操作パネル、３は表示画面である
図２は、操作パネル２の構成概要を示す図である。４は操作パネルの下部に配置されたスイッチで、操作パネル２への加圧でスイッチが入るようになっている。図２ではスイッチ４が縦方向に４個配置されており、操作パネル２の上を縦方向に指で加圧しながら移動（スライド）させることにより、４個のスイッチ４が順番にオン状態になる。スイッチ間を指が移動する速さに連動して、表示画面３の表示更新を行う仕組みになっている。いわゆるタッチパッドである。なお、指の圧力で動きを感知する感圧式だけでなく、指の静電気を利用して位置情報を感知する静電式でもよく、指の位置とカーソルの動きと同期させるタッチパッドであればよい。 
【００１４】
なお本発明装置の実施例では、縦方向に４個のスイッチ４を配置しているが、４個でなくても構わない。また、表示画面３の表示状態によっては、横方向にスイッチ４を配置しても構わない。
【００１５】
また本発明装置の実施例では、タッチパッドを用いてカーソル移動およびスクロール操作を行っているが、ボタン操作による操作ボタンの長押し等によって同様の操作を実現しても構わない。
【００１６】
図３は表示画面の動作概要を示す図である。
【００１７】
図３（ａ）は表示装置の表示画面に、音楽トラックリストを表示したときのカーソル移動の動作状態を示した図である。この表示画面３では、縦方向に７行の文字列、横方向に１０文字分の文字を表示できる。１行目の５は音楽トラックリストであることを示す項目表示である。６は音楽トラックの曲名タイトル（文字列）である。７の文字列色と背景色を反転して表示している部分が現在カーソルのある位置である。
【００１８】
ユーザは本表示装置を有する機器１の操作パネル２を操作して、音楽トラックリストの中から所望の音楽を選択する。
【００１９】
例えば、現在表示されている音楽トラックリストに所望の音楽トラックの曲名タイトルがない場合、ユーザは操作パネル２を操作してカーソル７を移動させることになる。
【００２０】
このときは、音楽トラックリスト上をカーソル７が移動するだけで、音楽トラックの曲名タイトル６は移動しない。
【００２１】
図３（ａ’）は図３（ａ）の状態からカーソル７が移動した後の図である。
【００２２】
なお、本発明の実施の形態１における表示装置の操作パネルはタッチパッドを用いているため、このようにカーソル７だけが移動する場合には、カーソル７の移動速度はユーザの操作パネル２を操作する（指でなぞってスライドさせる）速度に追随させて音楽トラックリストの曲名タイトル６を識別することが可能であり、操作性の向上を図ることができる。
【００２３】
次に、図３（ｂ）のように、カーソル７が音楽トラックリストの最下行にある場合で、さらにその下に音楽トラックの曲名タイトル６があるときは、カーソル７の位置は最下行のままで、音楽トラックの曲名タイトル６が上方向に移動（スクロール）することになる。移動後の状態が図３（ｂ’）である。
【００２４】
ユーザはカーソル７のある最下行の音楽トラックの曲名タイトル６を見て、所望の音楽トラックの曲名タイトル６であるかを確認し、そうでなければ操作パネル２を続けて操作し、所望の音楽トラックの曲名タイトル６が出てくるまで検索を行う。
【００２５】
この場合、ユーザが操作パネル２を操作している間は、音楽トラックの曲名タイトル６全体が上方向に移動し、最下行のカーソル７の中に次々と新たな音楽トラックの曲名タイトル６が表れるため、スクロール速度が速すぎるとユーザは表れた音楽トラックの曲名タイトル６を識別することができなくなる可能性がある。
【００２６】
図４は、本発明の実施の形態１における表示装置の構成要素を示すブロック図である。図４において、８はユーザが操作する操作部で上記の実施例の説明の操作パネル２に相当する。９は制御部、１０はクロック割り込み部、１１は表示部で前記表示画面３に相当する。
【００２７】
図５は、本発明の実施の形態１における表示装置の処理動作を説明するためのフローチャートである。
【００２８】
図５に示すように、ステップＳ１では、表示部１１に図３で説明した音楽トラックリストが表示されように設定する。設定は機器のメニュー操作により行うが、本説明では省略する。
【００２９】
ステップＳ２では、ユーザの操作部８の操作に応じて、操作部８のスイッチ４が反応し、操作信号を制御部９に伝搬する。
【００３０】
ステップＳ３では、前記操作信号を受信した制御部９からクロック割り込み部１０に対してクロック割り込み要求を投げる。
【００３１】
ステップＳ４では、制御部９がカーソル移動表示か否かを判定する。カーソル移動表示の場合には、ステップＳ５の処理に進む。また、判定結果が「いいえ」（スクロール表示）の場合には、ステップＳ７の処理に進む。このとき、制御部９が、表示画面３上のどこにカーソル７が位置しているのかを判断することによって、カーソル移動表示か否かの判断としている。つまり、カーソル７が、表示画面３上に表示されている最上部もしくは最下部の曲名タイトル６に位置していなければ、カーソル移動表示であると判断され、最上部もしくは最下部の曲名タイトル６に位置していれば、スクロール表示であると判断される。
【００３２】
ステップＳ５では、クロック割り込み部１０からカーソル移動表示の場合に応じたクロック割り込み間隔で、割り込み信号を制御部９に投げて、制御部９が表示部１１の表示画面の更新するためのタイミングを図る。
【００３３】
ステップＳ６では、ステップＳ５で選択されたタイミングで、表示部１１の表示画面の更新を行う。このとき、表示部１１のカーソルが１文字列分移動する。
【００３４】
ステップＳ７では、クロック割り込み部１０から文字列移動つまり音楽トラックの曲名タイトル６のスクロール表示の場合に応じたクロック割り込み間隔で、割り込み信号を制御部９に投げて、制御部９が表示部１１の表示画面の更新するためのタイミングを図る。
【００３５】
ステップＳ８では、ステップＳ７で選択されたタイミングで、表示部１１の表示画面の更新を行う。このとき、表示部１１の音楽トラックの曲名タイトルが１文字列分移動する。
【００３６】
ステップＳ９では、引き続いて操作部８から操作信号が制御部９に伝搬していないかを判定する。
【００３７】
操作部８から操作信号がない場合には、表示部１１の表示画面の更新は終了する。
【００３８】
また、引き続いて操作部８から操作信号がある場合には、ステップＳ３から再び処理が行われる。
【００３９】
上記説明で、クロック割り込みの間隔は、本発明装置の実施例では、カーソル移動表示の場合５０ｍｓｅｃ、音楽トラックの曲名タイトル６のスクロール表示の場合２００ｍｓｅｃで行われる。なお、クロック割り込みの間隔は、これらの値に限定するものではなく、スクロールの速度の方がカーソル移動の速度よりも遅く、音楽トラックの曲名タイトルの識別に耐えうる値であれば別の値でも構わない。スクロールの速度が、カーソル移動の速度よりも遅くなることによって、表示画面３の文字列全体が移動するスクロール時の、文字列の視認性が向上する。
【００４０】
以上のように、カーソル７の移動速度と音楽トラックの曲名タイトル６のスクロール速度が異なるように制御することにより、音楽トラックの曲名タイトル６の識別を可能にし、操作性の向上を図ることができる。
【００４１】
また、スクロールの速度を、始めは２００ｍｓｅｃのクロック割り込み間隔で行い、数秒後に１００ｍｓｅｃのクロック割り込み間隔で行い、段階的にスクロール速度を速くする構成とすることによって、速く目的とする文字列の位置に移動でき検索の操作性の向上を図ることもできる。
【００４２】
段階的にクロック割り込み間隔を変える方法として、例えば、クロック割り込み信号の発生数を制御部９がカウントして、カウント数が所定の値になった時に行う方法がある。
【００４３】
さらに、段階的にクロック割り込み間隔を変える別の方法として、制御部９にタイマー機能を持たせて、クロック割り込み信号が発生してから信号が継続している時間を計測し、
所定の時間が経過した時に行う方法がある。
【００４４】
なお、上記で説明したクロック割り込み間隔を変える方法に限定されるものではなく、別の方法でも構わない。
【００４５】
また、本発明の実施の形態１では、文字列を音楽トラックの曲名タイトルとしているが、これに限定されるものではなく、アーティスト名やアルバムタイトルなどでも構わない。
【産業上の利用可能性】
【００４６】
本発明にかかる表示装置は、カーソル移動時およびスクロール時の文字列の識別を可能にし、検索する際の操作性の向上を図ることができるので、携帯機器のように狭領域の表示面積しかない表示装置等において有用である。
【図面の簡単な説明】
【００４７】
【図１】本発明の実施の形態１に於ける表示装置を有する機器の外観概要を示す図
【図２】同表示装置の操作パネルの構成概要を示す図
【図３】同表示装置の表示画面の動作概要を示す図
【図４】同表示装置の構成要素を示すブロック図
【図５】同表示装置の処理動作を説明するためのフローチャート
【図６】従来の表示装置に於けるスクロールを行う場合の模式図
【符号の説明】
【００４８】
１  機器本体
２  操作パネル
３  表示画面
４  スイッチ
５  項目表示
６  曲名タイトル
７  カーソル
８  操作部
９  制御部
１０  クロック割り込み部
１１  表示部
１２  文字表示領域
１３  表示画面「閉」ボタン
１４  スクロール操作バー
【図１】
2007240925.tif 000003
【図２】
2007240925.tif 000004
【図３】
2007240925.tif 000005
【図４】
2007240925.tif 000006
【図５】
2007240925.tif 000007
【図６】
2007240925.tif 000008